(57)【要約】【課題】水の流れが複雑で見る人を惹きつける噴水装置を提供する。【解決手段】二つの支持体２１，２２間に配置された基板２３と、意匠部２４と、複数の孔２５ａから径方向外側へポンプＰからの水Ｗを射出する円筒状で回転自在に支持された射出管２５と、断面略コ字状で射出管２５を内包し後壁２６ａの高さが前壁２６ｂの高さよりも高く、前壁２６ｂの前面の位置は意匠部２４の前面の位置と略等しい貯水部２６と、貯水部２６の上方を覆う蓋部２７と、貯水部２６の前壁２６ｂから離間して貯水部２６の前方を覆う覆い部２８と、射出管２５を所望の回転角度で固定する回転位置設定部２９と、を備え、射出管２５の複数の孔２５ａを覆い部２８に対向させるように射出管２５の回転角度を位置設定したときには射出された水Ｗが、貯水部２６の前方から溢れ出て意匠部２４の前面を伝って流れることに加え、覆い部２８の後面を伝って流れるようにした。【選択図】図１０
2011230052.tif 000002
【特許請求の範囲】
【請求項１】
水をポンプで循環させて連続的に水を流す噴水装置であって、
左右に所定間隔離間して立設された二つの支持体と、
前記二つの支持体間に配置された基板と、
前記基板の前面に取付けられ複数の凹凸が形成された意匠部と、
前記基板の上方で左右に延びるとともに周面に複数の孔が形成され、前記複数の孔から径方向外側へ前記ポンプからの水を射出する円筒状で回転自在に支持された射出管と、
上方が開口した断面略コ字状で前記射出管を内包するように左右に延び、後壁の高さが前壁の高さよりも高く、しかも前記前壁の前面の位置は前記意匠部の前面の位置と略等しい貯水部と、
前端部は前記貯水部の前壁よりも前方に位置するとともに、前記貯水部の後壁に接し水平に延びて前記貯水部の上方を覆う蓋部と、
前記蓋部の前端部から下方に設けられ、前記貯水部の前壁から離間して前記貯水部の前方を覆う覆い部と、
前記射出管を所望の回転角度で固定する回転位置設定部と、を備え、
前記射出管の複数の孔を前記覆い部に対向させるように前記射出管の回転角度を位置設定したときには射出された水が、前記貯水部の前方から溢れ出て前記意匠部の前面を伝って流れることに加え、前記覆い部の後面を伝って流れるようにしたことを特徴とする噴水装置。
【請求項２】
前記射出管の複数の孔を前記覆い部に対向させるように前記射出管の回転角度を位置設定したときには射出された水が、前記覆い部の後面で跳ね、その跳ねた水が前記意匠部の前面に届くように、前記貯水部の前壁と前記覆い部との間隔を設定したことを特徴とする請求項１に記載の噴水装置。
【請求項３】
前記射出管の複数の孔は、それぞれ所定間隔を開けて前記射出管の軸に平行な一直線上に形成されたことを特徴とする請求項１又は２に記載の噴水装置。
【請求項４】
前記意匠部は、水平方向の突出量の異なるガラス板を複数上下に貼り合わせてなることを特徴とする請求項１乃至３のうちいずれか一つに記載の噴水装置。
【請求項５】
前記覆い部の下端は、前記貯水部の前壁の下端よりも下方に位置することを特徴とする請求項１乃至４のうちいずれか一つに記載の噴水装置。
【請求項６】
前記射出管の軸は、前記貯水部の前壁の上端よりも上方に位置することを特徴とする請求項１乃至５のうちいずれか一つに記載の噴水装置。
【請求項７】
前記射出管の軸は、前記貯水部の前壁の上端よりも下方に位置するとともに、前記射出管の複数の孔は、前記貯水部の前壁の上端よりも下方に位置することを特徴とする請求項１乃至５のうちいずれか一つに記載の噴水装置。
【発明の詳細な説明】
【技術分野】
【０００１】
本発明は、水をポンプで循環させて連続的に水を流す噴水装置に関するものである。
【背景技術】
【０００２】
水の流れる音やその見た目によるリラックス効果を得るために、屋外及び屋内には大小様々な噴水装置が設置されている。
屋外用の噴水装置には、例えば上方に勢いよく水を吹き上げるものがある。また、連続的に水を吹き上げるだけでなく、間欠的に吹き上げるものもある。
一方、屋内用のものとしては、図１３に示すような噴水装置１０が開示されている（例えば、特許文献１参照）。
【先行技術文献】
【特許文献】
【０００３】
【特許文献１】特開平９−１０１７号公報
【０００４】
図１３に記載の噴水装置１０は、ポンプＰで吸い上げた水Ｗを立設パイプ１１の上端から流すことで、立設パイプ１１の外周面を伝って水Ｗが流れる。この水Ｗは立設パイプ１１下部に設けられた第一貯水部１２に一旦溜められ、ここから溢れ出た水Ｗがその下方の第二貯水部１３に溜まる。そして、第二貯水部１３の水Ｗが再びポンプＰで立設パイプ１１の上端まで吸い上げられる。
【０００５】
この噴水装置１０によると、水Ｗが流れる様子は見る人に安らぎを与えるだけでなく、水Ｗの音によるリラックス効果も期待できる。また、水Ｗが蒸発することで屋内が加湿される。
【発明の概要】
【発明が解決しようとする課題】
【０００６】
しかしながら、この噴水装置１０では、単なるパイプ１１の外周面を水Ｗが伝って流れているだけであるので、噴水装置１０の重要な要素の一つである見た目が単純で、面白味に欠ける。
【０００７】
そこで、本発明の目的とするところは、水の流れが複雑で見る人を惹きつける噴水装置を提供することにある。
【課題を解決するための手段】
【０００８】
上記の目的を達成するために、本発明の請求項１に記載の噴水装置（２０）は、水（Ｗ）をポンプ（Ｐ）で循環させて連続的に水（Ｗ）を流す噴水装置（２０）であって、左右に所定間隔離間して立設された二つの支持体（２１，２２）と、前記二つの支持体（２１，２２）間に配置された基板（２３）と、前記基板（２３）の前面に取付けられ複数の凹凸が形成された意匠部（２４）と、前記基板（２３）の上方で左右に延びるとともに周面に複数の孔（２５ａ）が形成され、前記複数の孔（２５ａ）から径方向外側へ前記ポンプ（Ｐ）からの水（Ｗ）を射出する円筒状で回転自在に支持された射出管（２５）と、上方が開口した断面略コ字状で前記射出管（２５）を内包するように左右に延び、後壁（２６ａ）の高さが前壁（２６ｂ）の高さよりも高く、しかも前記前壁（２６ｂ）の前面の位置は前記意匠部（２４）の前面の位置と略等しい貯水部（２６）と、前端部（２７ａ）は前記貯水部（２６）の前壁（２６ｂ）よりも前方に位置するとともに、前記貯水部（２６）の後壁（２６ａ）に接し水平に延びて前記貯水部（２６）の上方を覆う蓋部（２７）と、前記蓋部（２７）の前端部（２７ａ）から下方に設けられ、前記貯水部（２６）の前壁（２６ｂ）から離間して前記貯水部（２６）の前方を覆う覆い部（２８）と、前記射出管（２５）を所望の回転角度で固定する回転位置設定部（２９）と、を備え、前記射出管（２５）の複数の孔（２５ａ）を前記覆い部（２８）に対向させるように前記射出管（２５）の回転角度を位置設定したときには射出された水（Ｗ）が、前記貯水部（２６）の前方から溢れ出て前記意匠部（２４）の前面を伝って流れることに加え、前記覆い部（２８）の後面を伝って流れるようにしたことを特徴とする。
【０００９】
また、請求項２に記載の噴水装置（２０）は、前記射出管（２５）の複数の孔（２５ａ）を前記覆い部（２８）に対向させるように前記射出管（２５）の回転角度を位置設定したときには射出された水（Ｗ）が、前記覆い部（２８）の後面で跳ね、その跳ねた水（Ｗ）が前記意匠部（２４）の前面に届くように、前記貯水部（２６）の前壁（２６ｂ）と前記覆い部（２８）との間隔を設定したことを特徴とする。
【００１０】
また、請求項３に記載の噴水装置（２０）は、前記射出管（２５）の複数の孔（２５ａ）は、それぞれ所定間隔を開けて前記射出管（２５）の軸に平行な一直線上に形成されたことを特徴とする。
【００１１】
また、請求項４に記載の噴水装置（２０）は、前記意匠部（２４）は、水平方向の突出量の異なるガラス板（２４ａ）を複数上下に貼り合わせてなることを特徴とする。
【００１２】
また、請求項５に記載の噴水装置（２０）は、前記覆い部（２８）の下端は、前記貯水部（２６）の前壁（２６ｂ）の下端よりも下方に位置することを特徴とする。
【００１３】
また、請求項６に記載の噴水装置（２０）は、前記射出管（２５）の軸は、前記貯水部（２６）の前壁（２６ｂ）の上端よりも上方に位置することを特徴とする。
【００１４】
また、請求項７に記載の噴水装置（２０）は、前記射出管（２５）の軸は、前記貯水部（２６）の前壁（２６ｂ）の上端よりも下方に位置するとともに、前記射出管（２５）の複数の孔（２５ａ）は、前記貯水部（２６）の前壁（２６ｂ）の上端よりも下方に位置することを特徴とする。
【００１５】
ここで、上記括弧内の記号は、図面および後述する発明を実施するための形態に掲載された対応要素または対応事項を示す。
【発明の効果】
【００１６】
本発明の請求項１に記載の噴水装置によれば、基板の上方で左右に延びるとともに周面に複数の孔が形成され、複数の孔から径方向外側へポンプからの水を射出する円筒状で回転自在に支持された射出管と、上方が開口した断面略コ字状で射出管を内包するように左右に延びる貯水部と、貯水部の上方を覆う蓋部と、射出管を所望の回転角度で固定する回転位置設定部と、を備えるので、射出管の複数の孔を貯水部の内部又は蓋部に対向させるように射出管の回転角度を位置設定したときには射出された水が貯水部に溜まる。
そして、貯水部の後壁の高さが前壁の高さよりも高く、貯水部の前壁の前面の位置は意匠部の前面の位置と略等しいので、貯水部に溜まった水は貯水部の前方から溢れ出て意匠部の前面を伝って流れる。ここで、意匠部には複数の凹凸が形成されているので、その前面を伝って流れる水は複雑な動きとなる。
特に、射出管の複数の孔を覆い部に対向させるように射出管の回転角度を位置設定したときには射出された水が、貯水部の前方から溢れ出て意匠部の前面を伝って流れることに加え、覆い部の後面を伝って流れる。
このように、水の流れが複雑であるので、見る人を惹きつける。また、一つの噴水装置において、例えば時間帯や日時によって異なる水の流れ方を選べるので、見る人を飽きさせない。
【００１７】
また、請求項２に記載の噴水装置によれば、請求項１に記載の発明の作用効果に加え、射出管の複数の孔を覆い部に対向させるように射出管の回転角度を位置設定したときには射出された水が、覆い部の後面で跳ね、その跳ねた水が意匠部の前面に届くように、貯水部の前壁と覆い部との間隔を設定したので、射出管の複数の孔を覆い部に対向させるように射出管の回転角度を位置設定したとき、射出された水は覆い部の後面を伝って流れるだけでなく、意匠部の前面を伝って流れる。
このように水の流れが複雑であるので、意匠性に優れ、見る人を惹きつける。
【００１８】
また、請求項３に記載の噴水装置によれば、請求項１又は２に記載の発明の作用効果に加え、射出管の複数の孔は、それぞれ所定間隔を開けて射出管の軸に平行な一直線上に形成されたので、意匠部全体に満遍なく水を流すことができる。
【００１９】
また、請求項４に記載の噴水装置によれば、請求項１乃至３に記載の発明の作用効果に加え、意匠部は、水平方向の突出量の異なるガラス板を複数上下に貼り合わせてなるので、雰囲気下での光（太陽光や室内灯）が意匠部で乱反射し、見る人を惹きつける。さらに、前面又は後面からライトアップすれば、一層意匠部での光の反射が鮮やかである。
【００２０】
また、請求項５に記載の噴水装置によれば、請求項１乃至４に記載の発明の作用効果に加え、覆い部の下端は貯水部の前壁の下端よりも下方に位置するので、貯水部から溢れ出た水及び覆い部の後面で跳ねた水が前方に飛び散り難い。
【００２１】
また、請求項６に記載の噴水装置によれば、請求項１乃至５に記載の発明の作用効果に加え、射出管の軸は貯水部の前壁の上端よりも上方に位置するので、射出管の複数の孔を覆い部に対向させるように射出管の回転角度を位置設定したときに、貯水部に水が溜まった場合でも、射出管の複数の孔が水没しない。したがって、貯水部内に溜まった水によって、射出された水の勢いが落ちないので、水圧を必要以上に上げずとも所望の水の流れを実現できる。
【００２２】
また、請求項７に記載の噴水装置によれば、請求項１乃至５に記載の発明の作用効果に加え、射出管の軸は、貯水部の前壁の上端よりも下方に位置するとともに、射出管の複数の孔は、貯水部の前壁の上端よりも下方に位置するので、射出管の複数の孔から射出された水が貯水部に溜まることで、射出管の複数の孔が水没する。このとき、覆い部の後面に対し射出された水の勢いが強ければ、射出された水が覆い部まで届き、意匠部の前面での所望の水の流れを実現することができる。しかも、水中から勢いよく射出された水が多くの空気を巻き込むので、意匠部を流れる水が動きのある泡状となり、見る人をより惹きつける。
【００２３】
なお、上述した特許文献１には、水をポンプで吸い上げて上方から水を流す点は記載されているが、本発明の噴水装置のように、回転自在に支持された射出管と、その回転角度を固定する回転位置設定部を備えて、水の流れ方を適宜設定する点は、上述した特許文献１には全く記載されていない。
【図面の簡単な説明】
【００２４】
【図１】本発明の第一実施形態に係る噴水装置を示す斜視図である。
【図２】本発明の第一実施形態に係る噴水装置を示す正面図である。
【図３】（ａ）、（ｂ）、及び（ｃ）はそれぞれ、図１に示す噴水装置における意匠部を構成するガラス板を示す斜視図である。
【図４】図３に示すガラス板を貼り合わせてなる意匠部を示す斜視図である。
【図５】本発明の第一実施形態に係る噴水装置を示す、図２のＡ−Ａ線拡大断面図である。
【図６】本発明の第一実施形態に係る噴水装置を示す、図２のＢ−Ｂ線拡大矢視図である。
【図７】本発明の第一実施形態に係る噴水装置を示す、図２のＣ−Ｃ線拡大矢視図である。
【図８】本発明の第一実施形態に係る噴水装置を示す、図２のＤ部拡大正面図である。
【図９】本発明の第一実施形態に係る噴水装置を示す、図２のＥ−Ｅ線拡大断面図である。
【図１０】図９に示す噴水装置における射出管を回転させた状態を示す、図２のＥ−Ｅ線拡大断面図である。
【図１１】本発明の第二実施形態に係る噴水装置を示す、図２のＥ−Ｅ線拡大断面図である。
【図１２】図１１に示す噴水装置における射出管を回転させた状態を示す、図２のＥ−Ｅ線拡大断面図である。
【図１３】従来例に係る噴水装置を示す断面図である。
【発明を実施するための形態】
【００２５】
（第一実施形態）
図１乃至図１０を参照して、第一実施形態に係る噴水装置２０を説明する。
本実施形態に係る噴水装置２０は、水ＷをポンプＰで循環させて連続的に水Ｗを流すもので、例えばホテルの待合室や飲食店、または住居の庭等に観賞用として設置される。
この噴水装置２０は、支持体２１，２２と、基板２３と、意匠部２４と、射出管２５と、貯水部２６と、蓋部２７と、覆い部２８と、回転位置設定部２９と、を備えるものである。
【００２６】
支持体２１，２２は、図１に示すように、水Ｗを内部に溜めることができる受け皿３０上に、左右に所定間隔離間して二つ垂直に立設されている。それぞれは中空状の角パイプからなり、その下端には足部２１ａ，２２ａが取付けられていて逆Ｔ字状となっている。
また、支持体２１，２２間には、上部後方に角パイプからなる上側連結部材３１が、同様に下部前方には角パイプからなる下側連結部材３２がそれぞれ渡されていて、支持体２１，２２同士を連結している。
また、図２に示すように、右側の支持体２２の下部側面には吸水口２２ｂが形成されており、右側の支持体２２の内部下部に、吸水口２２ｂから受け皿３０内の水Ｗを吸水するポンプＰが収められている。
そして、その水Ｗは右側の支持体２２内に配管された給水管３３を通じて支持体２２の上部まで送られる。
また、右側の支持体２２の左側（図５参照）、及び左側の支持体２１の右側には、下側連結部材３２の真上に、それぞれ上下に延び左右内側に開口する断面略コ字状のレール３４が取付けられている。また、二つのレール３４の前後位置は等しい。
【００２７】
基板２３は、図５乃至図７に示すように、左右のレール３４にそれぞれ左側端部と右側端部とが嵌められることで、二つの支持体２１，２２間に配置される。
レール３４は下側連結部材３２の真上にあるので、レール３４に嵌められた基板２３は下側連結部材３２に上載された状態となる。よって、基板２３の下端位置が下側連結部材３２の上面より下がることはない。
ここで、基板２３の上端の高さは、図９に示すように、上側連結部材３１上面の高さに等しい。
なお、基板２３はここでは一枚のガラスである。
【００２８】
意匠部２４は、基板２３の前面に、水平方向の突出量の異なるガラス板２４ａ，２４ｂ，２４ｃ，を複数上下に貼り合わせて取付けられる。ここでは、電気炉の熱によって溶着した。
この異なる突出量とは、それぞれのガラス板２４ａ，２４ｂ，２４ｃの突出量が異なるだけでなく、図３に示すように、一つ一つのガラス板２４ａ，２４ｂ，２４ｃにおいてもその前面（図３においては上面）は波打つように、位置によって突出量が異なっている。したがって、それらを上下に貼り合わせると図４に示すように、意匠部２４の前面は複雑な凹凸形状となる。ここでは、形状の異なる三種類のガラス板２４ａ，２４ｂ，２４ｃを示したが、これは例示であり、現実にはそれ以上の種類のガラス板を貼り合わせて意匠部２４はなる。
なお、図２及び図８では、一つ一つのガラス板２４ａ，２４ｂ，２４ｃは省略している。
【００２９】
射出管２５は、円筒状の透明アクリルパイプであって、基板２３の上方で左右に延びる。そして、射出管２５の周面には、複数の孔２５ａがそれぞれ所定間隔を開けて、射出管２５の軸に平行な一直線上に並ぶように形成されている。
また、射出管２５の右端は給水管３３に対し回転自在に連結されている。
一方、射出管２５の左端は塞がれ、さらに左側の支持体２１の上部内部に配置されたハンドル３５に連結されている（図７参照）。射出管２５はハンドル３５と連動して軸回転するので、左側の支持体２１に被せられている蓋を外し、手でハンドル３５を回転させることによって、射出管２５の回転角度を位置設定することができる。
そして、ポンプＰによって射出管２５内には水圧が掛かるので、複数の孔２５ａから径方向外側へポンプＰからの水Ｗが射出される。この射出の勢いは、ポンプＰ又はその他の水圧を調整する手段によって適宜変更できる。
【００３０】
貯水部２６は、上方が開口した断面略コ字状で、射出管２５を内包するように左右に延びる。詳しくは、射出管２５が二つの支持体２１，２２の上端間で支持されることで、貯水部２６も支持されるとともに、図９及び図１０に示すように、貯水部２６は上側連結部材３１と基板２３の両者に上載されている。
また、後壁２６ａの高さは前壁２６ｂの高さよりも高く、左右の側壁２６ｃの高さは後壁２６ａの高さと等しい。
加えて、前壁２６ｂの前面の位置は意匠部２４の前面の位置と略等しくなっている。
また、射出管２５の軸は、貯水部２６の前壁２６ｂの上端よりも上方に位置する（図９及び図１０のＳ参照）。
なお、射出管２５の右端が給水管３３と連結できるように、また射出管２５の左端がハンドル３５と連結できるように、貯水部２６の左右の側壁２６ｃにはそれぞれ連結孔（図示しない）が形成されている。この連結孔から貯水部２６内の水Ｗが漏れないための処理がなされている。
ここで、貯水部２６に溜まった水Ｗが前方に溢れ出易いように、貯水部２６をやや前傾させてもよい。
【００３１】
蓋部２７は、その前端部２７ａが貯水部２６の前壁２６ｂよりも前方に位置するとともに、貯水部２６の後壁２６ａ及び左右側壁２６ｃに接し、水平に延びて貯水部２６の上方を覆う。貯水部２６の前壁２６ｂの高さは後壁２６ａの高さより低いので、蓋部２７は貯水部２６の前壁２６ｂとは接しない。
【００３２】
覆い部２８は、蓋部２７の前端部２７ａから鉛直下方に設けられ、貯水部２６の前壁２６ｂから離間して貯水部２６の前方を覆う。
また、覆い部２８の左右の長さは、蓋部２７や貯水部２６の左右の長さと等しい。
ここで、図１０に示すように、射出管２５の複数の孔２５ａを覆い部２８に対向させるように射出管２５の回転角度を位置設定したときには射出された水Ｗが、覆い部２８の後面で跳ねるが、その跳ねた水Ｗが意匠部２４の前面に届くように、貯水部２６の前壁２６ｂと覆い部２８との間隔を設定した。ここではその間隔を５ｍｍとした。
そして、覆い部２８の下端は、貯水部２６の前壁２６ｂの下端よりも下方に位置し、意匠部２４の上端に掛かっている。
なお、貯水部２６、蓋部２７、及び覆い部２８は、水Ｗの流れを視認できるように透明のアクリルからなる。
【００３３】
回転位置設定部２９は、回転自在に支持されている射出管２５を所望の回転角度で固定する。本実施形態においては、回転位置設定部２９は射出管２５の右端と給水管３３との連結部分である。この回転位置設定部２９によって、所定の力より大きい力を加えないと給水管３３に対して射出管２５が回転しないようにしている。
その他、各部位において、当業者が通常用いるパッキン、Ｏリング等のシール材や、溶接等の連結方法を適宜用いた。
【００３４】
以上のように構成された噴水装置２０によれば、基板２３の上方で左右に延びるとともに周面に複数の孔２５ａが形成され、複数の孔２５ａから径方向外側へポンプＰからの水Ｗを射出する円筒状で回転自在に支持された射出管２５と、上方が開口した断面略コ字状で射出管２５を内包するように左右に延びる貯水部２６と、貯水部２６の上方を覆う蓋部２７と、射出管２５を所望の回転角度で固定する回転位置設定部２９と、を備えるので、図９に示すように、射出管２５の複数の孔２５ａを貯水部２６の内部又は蓋部２７に対向させるように射出管２５の回転角度を位置設定したときには射出された水Ｗが貯水部２６に溜まる。
そして、貯水部２６の後壁２６ａの高さが前壁２６ｂの高さよりも高く、貯水部２６の前壁２６ｂの前面の位置は意匠部２４の前面の位置と略等しいので、貯水部２６に溜まった水Ｗは貯水部２６の前方から溢れ出て意匠部２４の前面を伝って流れる。ここで、意匠部２４には複数の凹凸が形成されているので、その前面を伝って流れる水Ｗは複雑な動きとなる。
【００３５】
特に、図１０に示すように、射出管２５の複数の孔２５ａを覆い部２８に対向させるように射出管２５の回転角度を位置設定したときには、射出された水Ｗが覆い部２８の後面で跳ね、その跳ねた水Ｗの一部が少しずつ貯水部２６に溜まり、貯水部２６の前方から溢れ出て意匠部２４の前面を伝って流れる。それに加え、射出された水Ｗの大部分は覆い部２８の後面を伝って流れる。
また、このとき、貯水部２６の前壁２６ｂと覆い部２８との間隔は、覆い部２８の後面で跳ねた水Ｗが意匠部２４の前面に届く距離であるので、意匠部２４の前面を流れる水Ｗは貯水部２６から溢れたものだけでなく、覆い部２８で跳ねたものもある。よって、水Ｗの流れが複雑であるので、見る人を惹きつける。
このように、一つの噴水装置２０において、例えば時間帯や日時によって異なる水Ｗの流れ方を選べるので、見る人を飽きさせない。
【００３６】
さらに、射出管２５の複数の孔２５ａは、それぞれ所定間隔を開けて射出管２５の軸に平行な一直線上に形成されたので、意匠部２４全体に満遍なく水を流すことができる。
【００３７】
また、意匠部２４は、水平方向の突出量の異なるガラス板２４ａ，２４ｂ，２４ｃを複数上下に貼り合わせてなるので、雰囲気下での光（太陽光や室内灯）が意匠部２４で乱反射し、見る人を惹きつける。さらに、基板２３もガラスからなり光を透過するので、基板２３の後面からライトアップすることで、一層意匠部２４での光の反射が鮮やかである。もちろん、意匠部２４の前面をライトアップしてもよい。
【００３８】
また、覆い部２８の下端は貯水部２６の前壁２６ｂの下端よりも下方に位置するので、貯水部２６から溢れ出た水Ｗ及び覆い部２８の後面で跳ねた水Ｗが前方に飛び散り難い。
【００３９】
また、射出管２５の軸は貯水部２６の前壁２６ｂの上端よりも上方に位置するので、図１０に示すように、射出管２５の複数の孔２５ａを覆い部２８に対向させるように射出管２５の回転角度を位置設定したときに、貯水部２６に水Ｗが溜まった場合でも、射出管２５の複数の孔２５ａが水没しない。したがって、貯水部２６内に溜まった水Ｗによって、射出された水Ｗの勢いが落ちないので、水圧を必要以上に上げずとも所望の水Ｗの流れを実現できる。
【００４０】
（第二実施形態）
次に図１１と図１２を参照して、本発明の第二実施形態に係る噴水装置２０を説明する。なお、第一実施形態と同一部分には同一符号を付した。
本実施形態の第一実施形態との違いは、射出管２５と貯水部２６の前壁２６ｂとの関係であり、その他の構成要素に関しては第一実施形態と同一である。
【００４１】
つまり、射出管２５の軸は、貯水部２６の前壁２６ｂの上端よりも下方に位置し（図１１及び図１２のＴ参照）、この長さＴは射出管２５の半径と略等しい。したがって、射出管２５の回転角度をどのように位置設定しても、射出管２５の複数の孔２５ａは、貯水部２６の前壁２６ｂの上端よりも下方に位置する。
この場合であっても、図１１に示すように、貯水部２６の内部に対向させるように射出管２５の回転角度を位置設定したときには射出された水Ｗが貯水部２６に溜まるのは、第一実施形態と同じである。
一方、図１２に示すように、射出管２５の複数の孔２５ａを覆い部２８に対向させるように射出管２５の回転角度を位置設定し、覆い部２８の後面で跳ねた水Ｗが少しずつ貯水部２６に溜まったときには、射出管２５の軸が貯水部２６の前壁２６ｂの上端よりも下方であり、射出管２５の複数の孔２５ａは、貯水部２６の前壁２６ｂの上端よりも下方に位置するので、射出管２５の複数の孔２５ａが水没してしまう。しかし、射出される水Ｗの勢いが強ければ、貯水部２６に溜まった水Ｗによって勢いが落ちないので、射出された水Ｗが覆い部２８まで届き、意匠部２４前面での所望の水Ｗの流れを実現することができる。
しかも、水中から勢いよく射出された水Ｗが多くの空気を巻き込むので、意匠部２４を流れる水Ｗが動きのある泡状となり、見る人をより惹きつける。
【００４２】
なお、第一、第二実施形態において、貯水部２６の前壁２６ｂと覆い部２８との間隔を、覆い部２８の後面で跳ねた水Ｗが意匠部２４の前面に届く距離としたが、これに限られるものではなく、その間隔が、覆い部２８で跳ねた水Ｗが意匠部２４まで届かない距離であってもよい。この場合であっても、射出管２５の複数の孔２５ａを覆い部２８に対向させるように射出管２５の回転角度を位置設定したときには、意匠部２４の前面に水Ｗが流れるとともに、覆い部２８の後面から下方に滴り、意匠性に優れる。
【００４３】
また、射出管２５の複数の孔２５ａは、それぞれ所定間隔を開けて射出管２５の軸に平行な一直線上に形成されたとしたが、これに限られるものではなく、例えば射出管２５の周面に孔２５ａが螺旋状に形成されていてもよい。また、孔２５ａが不規則に形成されていてもよい。このとき、第二実施形態のように射出管２５の全ての孔２５ａが水没してもよいし、一部の孔２５ａだけが水没してもよい。
【００４４】
また、意匠部２４は、水平方向の突出量の異なるガラス板２４ａ，２４ｂ，２４ｃを複数上下に貼り合わせてなるとしたが、アクリルや石材等の他の材質であってもよい。それぞれの材質で異なった趣となるので、この噴水装置２０が設置される場所等に応じて、適宜最適なものを選択することができる。
また、覆い部２８の下端は、貯水部２６の前壁２６ｂの下端よりも下方に位置するとしたが、これに限られるものではない。
【００４５】
さらに、ポンプＰは支持体２２の内部に収められているとしたが、流量や噴水装置２０の高さによっては大型のポンプＰが必要となるので、ポンプＰを支持体２１，２２の外部に配置してもよい。
【００４６】
また、ハンドル３５及び回転位置設定部２９によって手動で射出管２５の回転角度を位置設定したが、従来用いられる他の手段によって回転角度を位置設定してもよく、さらには回転位置設定部２９を設けず、モーター等を用いて射出管２５を連続回転させてもよい。
【符号の説明】
【００４７】
１０      噴水装置
１１      立設パイプ
１２      第一貯水部
１３      第二貯水部
２０      噴水装置
２１      支持体
２１ａ    足部
２２      支持体
２２ａ    足部
２２ｂ    吸水口
２３      基板
２４      意匠部
２４ａ    ガラス板
２４ｂ    ガラス板
２４ｃ    ガラス板
２５      射出管
２５ａ    孔
２６      貯水部
２６ａ    後壁
２６ｂ    前壁
２６ｃ    側壁
２７      蓋部
２７ａ    前端部
２８      覆い部
２９      回転位置設定部
３０      受け皿
３１      上側連結部材
３２      下側連結部材
３３      給水管
３４      レール
３５      ハンドル
Ｐ      ポンプ
Ｗ      水
【図１】
2011230052.tif 000003
【図２】
2011230052.tif 000004
【図３】
2011230052.tif 000005
【図４】
2011230052.tif 000006
【図５】
2011230052.tif 000007
【図６】
2011230052.tif 000008
【図７】
2011230052.tif 000009
【図８】
2011230052.tif 000010
【図９】
2011230052.tif 000011
【図１０】
2011230052.tif 000012
【図１１】
2011230052.tif 000013
【図１２】
2011230052.tif 000014
【図１３】
2011230052.tif 000015